【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
カラー画像を生成する装置であって、少なくとも４つの原色を連続的に生成するカラー・フィルタ構成を備えており、各原色がスペクトル範囲を有し、前記原色の少なくとも２つのスペクトル範囲が有意に重複する、装置。
【請求項２】
請求項１記載の装置において、前記カラー・フィルタ構成は、色切換機構上に複数のフィルタ・セグメントを備えている、装置。
【請求項３】
請求項１または２に記載の装置において、前記少なくとも４つの原色は、約４００ｎｍから４６０ｎｍと５４０ｎｍとの間までの波長スペクトル範囲を有する青色と、４８０ｎｍと５２０ｎｍとの間から５４０ｎｍと５８０ｎｍとの間までのスペクトル範囲を有する緑色と、５００ｎｍと５５０ｎｍとの間から６５０ｎｍ以上までのスペクトル範囲を有する黄色と、５８０ｎｍと６２０ｎｍの間から７００ｎｍ以上までのスペクトル範囲を有する赤色とを含む、装置。
【請求項４】
請求項１、２または３記載の装置において、前記少なくとも４つの原色は、少なくとも５つの原色を含む、装置。
【請求項５】
請求項４記載の装置において、前記少なくとも５つの原色は、約４００ｎｍから４６０ｎｍと５４０ｎｍとの間までの波長スペクトル範囲を有する青色と、４００ｎｍと４６０ｎｍとの間から５００ｎｍと５６０ｎｍとの間までのスペクトル範囲を有するシアン色と、４８０ｎｍと５２０ｎｍとの間から５４０ｎｍと５８０ｎｍとの間までのスペクトル範囲を有する緑色と、５００ｎｍと５５０ｎｍとの間から６５０ｎｍ以上までのスペクトル範囲を有する黄色と、５８０ｎｍと６２０ｎｍとの間から７００ｎｍ以上までのスペクトル範囲を有する赤色とを含む、装置。
【請求項６】
請求項４記載の装置において、前記少なくとも５つの原色は、少なくとも６つの原色を含む、装置。
【請求項７】
請求項６記載の装置において、前記少なくとも６つの原色は、約４００から５００ｎｍまで、約５００から５５０ｎｍまで、約５７５から７５０ｎｍまで、約４５０から５２０ｎｍまで、約５２０から６２０ｎｍまで、および約６２０から７５０ｎｍまでのスペクトル範囲を有する、装置。
【請求項８】
少なくとも４つの原色を用いてカラー画像を生成するように構成した装置であって、
受光した光のｓ偏光成分を反射し、受光した光のｐ偏光成分を透過させる反射−透過エレメントと、
前記ｓ偏光およびｐ偏光成分を、前記少なくとも４つの原色に対応する少なくとも４本の光ビームに分離するカラー・フィルタリング構成と、
前記少なくとも４本の光ビームの偏光をそれぞれ変調し、前記カラー画像に対応する少なくとも４つの変調光ビームを生成する、少なくとも４つの反射ＬＣＤパネルと、
を備えており、
前記カラー・フィルタリング構成は、前記ｓ偏光およびｐ偏光成分の少なくとも１つを、前記少なくとも４本の光ビームの３本以上に分離することができる、少なくとも１つの色分離キューブを備えている、装置。
【請求項９】
請求項８記載の装置において、前記原色の各々はスペクトル範囲を有し、前記原色の少なくとも２つのスペクトル範囲は有意に重複している、装置。
【請求項１０】
請求項８または９記載の装置であって、投影レンズを備えており、前記反射−透過エレメントは、更に、前記変調光ビームのｓ偏光成分を反射し、前記変調光ビームのｐ偏光成分を透過させて前記投影レンズ上に入射させる、装置。
【請求項１１】
請求項８から１０のいずれか１項記載の装置において、前記偏向−透過エレメントは、偏光ビーム・スプリッタを備えた、装置。
【請求項１２】
カラー画像の生成方法であって、前記カラー画像に対応する少なくとも４つの原色を連続的に生成するステップを有し、各原色がスペクトル範囲を有し、前記原色の少なくとも２つのスペクトル範囲が有意に重複している、方法。
【請求項１３】
請求項１２記載の方法において、前記原色を連続的に生成するステップは、照明ユニットの光を連続的にフィルタ処理するステップを含む、方法。
【請求項１４】
請求項１２または１３記載の方法において、前記少なくとも４つの原色は、約４００ｎｍから４６０ｎｍと５４０ｎｍとの間までの波長スペクトル範囲を有する青色と、４８０ｎｍと５２０ｎｍとの間から５４０ｎｍと５８０ｎｍとの間までのスペクトル範囲を有する緑色と、５００ｎｍと５５０ｎｍとの間から６５０ｎｍ以上までのスペクトル範囲を有する黄色と、５８０ｎｍと６２０ｎｍの間から７００ｎｍ以上までのスペクトル範囲を有する赤色とを含む、方法。
【請求項１５】
請求項１２または１３記載の方法において、前記少なくとも４つの原色は、少なくとも５つの原色を含む、方法。
【請求項１６】
請求項１５記載の方法において、前記少なくとも５つの原色は、約４００ｎｍから４６０ｎｍと５４０ｎｍとの間までの波長スペクトル範囲を有する青色と、４００ｎｍと４６０ｎｍとの間から５００ｎｍと５６０ｎｍとの間までのスペクトル範囲を有するシアン色と、４８０ｎｍと５２０ｎｍとの間から５４０ｎｍと５８０ｎｍとの間までのスペクトル範囲を有する緑色と、５００ｎｍと５５０ｎｍとの間から６５０ｎｍ以上までのスペクトル範囲を有する黄色と、５８０ｎｍと６２０ｎｍとの間から７００ｎｍ以上までのスペクトル範囲を有する赤色とを含む、方法。
【請求項１７】
請求項１５記載の方法において、前記少なくとも５つの原色は、少なくとも６つの原色を含む、方法。
【請求項１８】
請求項１７記載の方法において、前記少なくとも６つの原色は、約４００から５００ｎｍまで、約５００から５５０ｎｍまで、約５７５から７５０ｎｍまで、約４５０から５２０ｎｍまで、約５２０から６２０ｎｍまで、および約６２０から７５０ｎｍまでのスペクトル範囲を有する、方法。
【請求項１９】
請求項９記載の装置において、前記少なくとも４つの原色は、約４００ｎｍから４６０ｎｍと５４０ｎｍとの間までの波長スペクトル範囲を有する青色と、４８０ｎｍと５２０ｎｍとの間から５４０ｎｍと５８０ｎｍとの間までのスペクトル範囲を有する緑色と、５００ｎｍと５５０ｎｍとの間から６５０ｎｍ以上までのスペクトル範囲を有する黄色と、５８０ｎｍと６２０ｎｍとの間から７００ｎｍ以上までのスペクトル範囲を有する赤色とを含む、装置。
【請求項２０】
請求項９記載の装置において、前記少なくとも４つの原色は、少なくとも５つの原色を含む、装置。
【請求項２１】
請求項２０記載の装置において、前記少なくとも５つの原色は、約４００ｎｍから４６０ｎｍと５４０ｎｍとの間までの波長スペクトル範囲を有する青色と、４００ｎｍと４６０ｎｍとの間から５００ｎｍと５６０ｎｍとの間までのスペクトル範囲を有するシアン色と、４８０ｎｍと５２０ｎｍとの間から５４０ｎｍと５８０ｎｍとの間までのスペクトル範囲を有する緑色と、５００ｎｍと５５０ｎｍとの間から６５０ｎｍ以上までのスペクトル範囲を有する黄色と、５８０ｎｍと６２０ｎｍとの間から７００ｎｍ以上までのスペクトル範囲を有する赤色とを含む、装置。
【請求項２２】
請求項２０記載の装置において、前記少なくとも５つの原色は、少なくとも６つの原色を含む、装置。
【請求項２３】
請求項２２記載の方法において、前記少なくとも６つの原色は、約４００から５００ｎｍまで、約５００から５５０ｎｍまで、約５７５から７５０ｎｍまで、約４５０から５２０ｎｍまで、約５２０から６２０ｎｍまで、および約６２０から７５０ｎｍまでのスペクトル範囲を有する、装置。
【請求項２４】
請求項２２記載の装置において、前記少なくとも１つの色分離キューブは、前記ｓ偏光成分を３本の光ビームに分離可能な第１色分離キューブと、前記ｐ偏光成分を３本の光ビームに分離可能な第２色分離キューブとを備えている、装置。